(57)【要約】      （修正有）【課題】重りがスイングスピードに影響を与え、クラブヘッドが加速しながら打球できるようにする。【解決手段】シャフト１のクラブヘッド２が設けられている側の先端位置３に、シャフト１の長手方向に沿って重り４を移動自在に収納する。重り４は、球形状に形成するのが良い。また、重り４を収納している箇所５は、シャフト１と芯を同一にして円筒状に形成し、この箇所５のクラブヘッド２側の先端を重り４の衝撃を緩和する衝撃吸収材６で閉塞し、またこの円筒状箇所５の基端を重り４の衝突で音を出す発音材７で閉塞するのが良い。また、シャフト１の先端位置３の径を拡大するのが良い。【選択図】図１
0003133493.tif 000002
【実用新案登録請求の範囲】
【請求項１】
シャフトのクラブヘッドが設けられている側の先端位置に、シャフトの長手方向に沿って重りが移動自在に収納されていることを特徴とするゴルフクラブ。
【請求項２】
請求項１記載のゴルフクラブであって、重りが、球形状に形成されていることを特徴とするゴルフクラブ。
【請求項３】
請求項１又は２記載のゴルフクラブであって、重りが収納されている箇所が、シャフトと芯を同一にして円筒状に形成され、この箇所のクラブヘッド側の先端が重りの衝撃を緩和する衝撃吸収材で閉塞され、またこの円筒状箇所の基端が重りの衝突で音を出す発音材で閉塞されていることを特徴とするゴルフクラブ。
【請求項４】
請求項１乃至３の何れかに記載のゴルフクラブであって、シャフトが先端位置だけ径が拡大されていることを特徴とするゴルフクラブ。
【請求項５】
請求項１記載のゴルフクラブであって、重りが収納されるのに代え、重りがリング状に形成され、シャフトの先端位置にシャフトの長手方向に沿って移動自在に外装されていることを特徴とするゴルフクラブ。
【考案の詳細な説明】
【技術分野】
【０００１】
本考案は、ゴルフクラブに関し、更に詳しくは飛距離を伸ばすことができるよう形成したゴルフクラブに関するものである。
【背景技術】
【０００２】
従来、この種のゴルフクラブとしては、例えばシャフトのグリップ内に錘体を備え、この錘体の位置をグリップの長手方向に沿って調節可能に形成しているものがある（例えば特許文献１参照）。
また従来、例えばクラブヘッドの内部に、シャフトと略直交する方向に伸びる空間を形成すると共に、この空間に重錘を内蔵させ、クラブのテイクバック時に重錘が空間内を摺動して後部衝突壁面に衝突するように形成しているものもある（例えば特許文献２参照）。
【０００３】
ところでゴルフボールの飛距離は、通常、ダウンスイング時のヘッドスピードの速さによるところが大きい。この場合、特にクラブヘッドが加速しながらボールにあたると、小さな力でも飛距離をアップし易くなる。
而して特許文献１に記載の従来品は、グリップ内における錘体の位置を移動することでクラブのバランスを調節し、スイングし易くすることで飛距離を出す構造であった。従ってこれによると、スイングスピードはゴルファーの技術、能力に左右され、打球時のヘッドスピードの速さに直接影響を及ぼすものではなかった。
また特許文献２に記載の従来品は、飛距離を出すために必要なテイクバックを充分取っているかどうかを、ヘッドの後部の衝突壁面に重錘が衝突するときの音を聞くことで、プレイヤーが自ら確認できるようにしたものである。
従ってこの従来品によると、テイクバックが充分か否かを確かめることはできるが、重錘がクラブヘッドの内部に内蔵されているため、ダウンスイング時に、重錘がヘッドの後部衝突壁面に当接し、後部衝突壁面に付いた状態でボールを打つことになった。それ故この従来品の場合は、クラブヘッドを重くして遠心力を高める場合と変わらず、重錘がスイングに連れて徐々にヘッドスピードを加速させるよう、作用するものではなかった。
【特許文献１】特開平８−６６５００号公報
【特許文献２】特開平１０−５７５３１号公報
【考案の開示】
【考案が解決しようとする課題】
【０００４】
本考案は、このような従来品の問題点に鑑み、提案されたものである。
従って本考案が解決しようとする課題は、重りがスイングスピードに影響を与え、クラブヘッドを加速させながら打球できるよう形成したゴルフクラブを提供することにある。
【課題を解決するための手段】
【０００５】
本考案は、上記の課題を解決するため、次のような技術的手段を採る。
即ち本考案は、図１等に示されるように、シャフト１のクラブヘッド２が設けられている側の先端位置３に、シャフト１の長手方向に沿って重り４が移動自在に収納されていることを特徴とする（請求項１）。
【０００６】
ここで、重り４が移動自在に収納されている、とは、クラブをテイクバックするとシャフト１内の重り４がクラブヘッド２の側から離れ、振り下ろすと次第にクラブヘッド２の方向に重り４が移動し、遠心力が次第に大きくなるように形成されている、ということを意味する。
【０００７】
而して本考案の場合、重り４は、例えば立方体等のブロック状や短円柱形等でも良いが、図１等に示されるように、球形状に形成されているのが好ましい（請求項２）。
なぜならこれによると、重り４の移動時の摩擦を小さくでき、重り４がスイングに悪影響を及ぼすことなく、スムーズに移動できるからである。
【０００８】
また本考案の場合、重り４が収納されている箇所５は、シャフト１と芯を同一にして円筒状に形成され、この箇所５のクラブヘッド２側の先端が重り４の衝撃を緩和する衝撃吸収材６で閉塞され、またこの円筒状箇所５の基端が重り４の衝突で音を出す発音材７で閉塞されているのが好ましい（請求項３）。
なぜならこれによると、重り４がシャフト１の芯に沿って移動するため、スイングを振れさせることがなく、また振り下ろしたときは衝撃吸収材６で重り４の衝撃を緩和でき、テイクバックしたときは重り４が発音材７にぶつかるため、その衝突音を確認してスイングできることからである。なお衝撃吸収材６としては、例えばゴム板やフェルト等がある。また発音材７としては、金属板等の硬質材や、その他例えば圧電センサと発音素子との組み合わせによるものがある。
【０００９】
また本考案は、図３に示されるように、シャフト１が先端位置３だけ径が拡大されているのが好ましい（請求項４）。
なぜならこれによると、先端位置３の強度を補強でき、シャフト１の耐久性をアップできるからである。
【００１０】
而して本考案は、重り４が収納されるのに代え、図４に示されるように、重り４がリング状に形成され、シャフト１の先端位置３にシャフト１の長手方向に沿って移動自在に外装されているのでも良い（請求項５）。
なぜならこれによると、シャフト１に重り４を収納する場合に比べ、シャフト１の先端位置３を太くすることなく、シャフト１の強度の低下を防止できるからである。
【考案の効果】
【００１１】
本考案は、このようにシャフトのクラブヘッドが設けられている側の先端位置に、シャフトの長手方向に沿って重りが移動自在に収納されているものである。
従って本考案の場合は、スイングすると重りが遠心力でクラブヘッドの側に勢いをつけて移動し、クラブヘッドを加速させながらボールを強くたたくことができる。それ故これによれば、小さな力でボールを遠くに飛ばすことができる、という実用上優れた効果を奏する。
【考案を実施するための最良の形態】
【００１２】
以下、本考案の好適な一実施形態を添付図面に従って説明する。
本考案は、シャフト１のクラブヘッド２が設けられている側の先端位置３に、シャフト１の長手方向に沿って重り４が移動自在に収納されている。重り４は、スイング時にシャフト１内でスムーズに移動でき、スイングに悪影響を及ぼすことがないよう、この実施形態では球形状に形成されている。
【００１３】
５は、重り４が収納されている箇所である。この箇所５は、シャフト１の先端位置３の補強をかねて金属パイプがシャフト１と芯を同一にして内蔵され、この実施形態では円筒状に形成されている。またこの実施形態に係る本考案は、この円筒状箇所５のクラブヘッド２側の先端が、重り４の衝撃を緩和する衝撃吸収材６で閉塞されている。この衝撃吸収材６は、例えばゴム板で形成されている。また本考案は、円筒状箇所５の基端が、重り４の衝突で音を出す、例えば金属板等の発音材７で閉塞されている。
【００１４】
次に本考案の使用例を説明する。
本考案のゴルフクラブは、図２に示されるように、ゴルファーがテイクバックすると、重り４が円筒状箇所５に案内されてクラブヘッド２から離れ、発音材７に衝止される。従ってゴルファーは、この衝突音を聞いてテイクバックが充分か否か確認する。
【００１５】
次にゴルファーがクラブを振り下ろすと、重り４が円筒状箇所５の基端側から先端側に、円筒状箇所５に案内されながら移動する。この場合、重り４は、スイングに連れて加速しながらクラブヘッド２の側に勢い良く移動する。そして重り４は、衝撃吸収材６にぶつかり止まる。この場合、重り４の衝撃は衝撃吸収材６で緩和され、衝突音の発生が防止される。
而して本考案は、上記の通り、重り４が加速しながらクラブヘッド２の側に移動する。従ってこれによると、ダウンスイングの際、大きな力で振らなくても、クラブヘッド２の持っているエネルギーが重り４の移動で徐々に高まり、クラブヘッド２の速度が早くなって、ボールが遠くに飛ぶものである。
【００１６】
以上の処において、本考案は、図３に示されるように、シャフト１を補強できるよう、シャフト１が先端位置３だけ径が拡大されて形成されているのでも良い。この実施形態ではシャフト１の先端位置３の径が、本体部の約倍の太さに形成されている。
【００１７】
また本考案は、重り４がシャフト１の先端位置３に収納されている場合に限定されるものではない。即ち本考案は、図４に示されるように、重り４が、シャフト１に収納されるのに代え、リング状に形成され、シャフト１の先端位置３にシャフト１の長手方向に沿って移動自在に外装されているのでも良い。同図において、８は、重り４の移動を一定範囲に止めるためのストッパーである。このストッパー８は、この実施形態ではクラブヘッド２から一定の距離だけ離されてシャフト１の先端位置３に、シャフト１の周方向に９０度づつあけて計４個突起状に形成されている。
【図面の簡単な説明】
【００１８】
【図１】本考案のゴルフクラブの好適な一実施形態を示す一部を切欠した要部正面図である。
【図２】同上ゴルフクラブの作用を説明するための説明図である。
【図３】同上ゴルフクラブの他の実施形態を示す要部正面図である。
【図４】同上ゴルフクラブの更に他の実施形態を示す要部正面図である。
【符号の説明】
【００１９】
１    シャフト
２    クラブヘッド
３    先端位置
４    重り
５    重りが収納されている箇所
６    衝撃吸収材
７    発音材
８    ストッパー
【図１】
0003133493.tif 000003
【図２】
0003133493.tif 000004
【図３】
0003133493.tif 000005
【図４】
0003133493.tif 000006